(57)【要約】【課題】木材で構成された敷居と鴨居と左右の方立から構成されている。しかし、割れ、ねじれ、摩耗、狂いが発生しやすい、敷居については滑りテープを使用する場合、摩耗したり剥れやすいなどの問題がある。【解決手段】ポリエチレン、ポリプロピレン、塩化ビニールなどを素材とした敷居部と鴨居部と左方の方立部、右方の方立部から構成され、これらは建具取付け用開口部に対して接着して取付けるよう構成され、敷居部における敷居溝には滑り用筋が形成されている。【選択図】        図１
2004339826.tif 000002
【特許請求の範囲】
【請求項１】
ポリエチレン、ポリプロピレン、塩化ビニールなどを素材とした第１種敷居部（１Ａ）と第１種鴨居部（１Ｂ）と左方の第１種方立部（１Ｃ）と右方の第１種方立部（１Ｄ）から構成され、これらは建具取付け用開口部に対して接着状態で取付けるよう構成されていると共に、第１種敷居部（１Ａ）における敷居溝には滑り用筋が形成されていることを特徴とする建具取付け用開口口枠。
【請求項２】
ポリエチレン、ポリプロピレン、塩化ビニールなどを素材とした第１種敷居部（１Ａ）と第１種鴨居部（１Ｂ）と左方の第１種方立部（１Ｃ）と右方の第１種方立部（１Ｄ）から構成され、
第１種敷居部（１Ａ）は、敷居の寸法に構成された第１種敷居体（１Ａ１）と、第１種敷居体の上面に当該第１種敷居体の長手方向をもって形成された敷居溝（１Ａ２）と、敷居溝の底面に当該敷居溝の長手方向をもって形成された滑り用筋（１Ａ３）と、第１種敷居体（１Ａ１）の下面に塗布された接着剤（１Ａ４）と、接着剤の下面に張設された剥離紙（１Ａ５）から構成され、
第１種鴨居部（１Ｂ）は、鴨居の寸法に構成された第１種鴨居体（１Ｂ１）と、第１種鴨居体の下面に当該第１種鴨居体の長手方向をもって形成された鴨居溝（１Ｂ２）と、第１種鴨居体（１Ｂ１）の上面に塗布された接着剤（１Ｂ３）と、接着剤の上面に張設された剥離紙（１Ｂ４）から構成され、
左方の第１種方立部（１Ｃ）は、左方の方立の寸法に構成された左方の第１種方立体（１Ｃ１）と、左方の第１種方立体の外周面に塗布された接着剤（１Ｃ２）と、接着剤の外周面に張設された剥離紙（１Ｃ３）から構成され、
右方の第１種方立部（１Ｄ）は、右方の方立の寸法に構成された右方の第１種方立体（１Ｄ１）と、右方の第１種方立体の外周面に塗布された接着剤（１Ｄ２）と、接着剤の外周面に張設された剥離紙（１Ｄ３）から構成されていることを特徴とする建具取付け用開口口枠。
【請求項３】
ポリエチレン、ポリプロピレン、塩化ビニールなどを素材とした第２種敷居部（２Ａ）と第２種鴨居部（２Ｂ）と左方の第２種方立部（２Ｃ）と右方の第２種方立部（２Ｄ）から構成され、建具取付け用開口部に対して、第２種敷居部（２Ａ）と左方の第２種方立部（２Ｃ）と右方の第２種方立部（２Ｄ）は、接着状態で取付けるよう構成され、第２種鴨居部（２Ｂ）はビス止めで取付けるよう構成されていると共に、第２種敷居部（２Ａ）における敷居溝には滑り用筋が形成されていることをことを特徴とする建具取付け用開口口枠。
【請求項４】
ポリエチレン、ポリプロピレン、塩化ビニールなどを素材とした第２種敷居部（２Ａ）と第２種鴨居部（２Ｂ）と左方の第２種方立部（２Ｃ）と右方の第２種方立部（２Ｄ）から構成され、
第２種敷居部（２Ａ）は、敷居の寸法に構成された第２種敷居体（２Ａ１）と、第２種敷居体の上面に当該第２種敷居体の長手方向をもって形成された敷居溝（２Ａ２）と、敷居溝の底面に当該敷居溝の長手方向をもって形成された滑り用筋（２Ａ３）と、第２種敷居体（２Ａ１）の下面に塗布された接着剤（２Ａ４）と、接着剤の下面に張設された剥離紙（２Ａ５）から構成され、
第２種鴨居部（２Ｂ）は、鴨居の寸法に構成された第２種鴨居体（２Ｂ１）と、第２種鴨居体の下面に当該第２種鴨居体の長手方向をもって形成された鴨居溝（２Ｂ２）と、第２種鴨居体（２Ｂ１）に所定間隔をもって開設されたビス穴（２Ｂ３）から構成され、
左方の第２種方立部（２Ｃ）は、左方の方立の寸法に構成された左方の第２種方立体（２Ｃ１）と、左方の第２種方立体の外周面に塗布された接着剤（２Ｃ２）と、接着剤の外周面に張設された剥離紙（２Ｃ３）から構成され、
右方の第２種方立部（２Ｄ）は、右方の方立の寸法に構成された右方の第２種方立体（２Ｄ１）と、右方の第２種方立体の外周面に塗布された接着剤（２Ｄ２）と、接着剤の外周面に張設された剥離紙（２Ｄ３）から構成されていることを特徴とする建具取付け用開口口枠。
【発明の詳細な説明】
【０００１】
【発明の属する技術分野】
本発明は、新規な構成を有する建具取付け用開口口枠に関するものである。
【０００２】
【従来の技術】
従来、この種のものにあっては、下記のようなものになっている。
木材で構成された敷居と鴨居と左右の方立から構成されている。
【０００３】
【発明が解決しようとする課題】
従来の技術で述べたものにあっては、下記のような問題点を有していた。
１．割れ、ねじれ、摩耗、狂いが発生しやすい。
２．敷居については滑りテープを使用する場合があるが、摩耗したり剥れやすい。
３．取付けるのに種々の造作が必要である。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明のものは下記のようになるものである。
請求項１記載の発明は、ポリエチレン、ポリプロピレン、塩化ビニールなどを素材とした第１種敷居部１Ａと第１種鴨居部１Ｂと左方の第１種方立部１Ｃと右方の第１種方立部１Ｄから構成され、これらは建具取付け用開口部に対して接着状態で取付けるよう構成されていると共に、第１種敷居部１Ａにおける敷居溝には滑り用筋が形成されていることを特徴とするものである。
【０００６】
請求項２記載の発明は、ポリエチレン、ポリプロピレン、塩化ビニールなどを素材とした第１種敷居部１Ａと第１種鴨居部１Ｂと左方の第１種方立部１Ｃと右方の第１種方立部１Ｄから構成され、
Ａ．第１種敷居部１Ａは、敷居の寸法に構成された第１種敷居体１Ａ１と、第１種敷居体の上面に当該第１種敷居体の長手方向をもって形成された敷居溝１Ａ２と、敷居溝の底面に当該敷居溝の長手方向をもって形成された滑り用筋１Ａ３と、第１種敷居体１Ａ１の下面に塗布された接着剤１Ａ４と、接着剤の下面に張設された剥離紙１Ａ５から構成され、
Ｂ．第１種鴨居部１Ｂは、鴨居の寸法に構成された第１種鴨居体１Ｂ１と、第１種鴨居体の下面に当該第１種鴨居体の長手方向をもって形成された鴨居溝１Ｂ２と、第１種鴨居体１Ｂ１の上面に塗布された接着剤１Ｂ３と、接着剤の上面に張設された剥離紙１Ｂ４から構成され、
Ｃ．左方の第１種方立部１Ｃは、左方の方立の寸法に構成された左方の第１種方立体１Ｃ１と、左方の第１種方立体の外周面に塗布された接着剤１Ｃ２と、接着剤の外周面に張設された剥離紙１Ｃ３から構成され、
Ｄ．右方の第１種方立部１Ｄは、右方の方立の寸法に構成された右方の第１種方立体１Ｄ１と、右方の第１種方立体の外周面に塗布された接着剤１Ｄ２と、接着剤の外周面に張設された剥離紙１Ｄ３から構成されていることを特徴とするものである。
【０００７】
請求項３記載の発明は、ポリエチレン、ポリプロピレン、塩化ビニールなどを素材とした第２種敷居部２Ａと第２種鴨居部２Ｂと左方の第２種方立部２Ｃと右方の第２種方立部２Ｄから構成され、建具取付け用開口部に対して、第２種敷居部２Ａと左方の第２種方立部２Ｃと右方の第２種方立部２Ｄは、接着状態で取付けるよう構成され、第２種鴨居部２Ｂはビス止めで取付けるよう構成されていると共に、第２種敷居部２Ａにおける敷居溝には滑り用筋が形成されていることを特徴とするものである。
【０００８】
請求項４記載の発明は、ポリエチレン、ポリプロピレン、塩化ビニールなどを素材とした第２種敷居部２Ａと第２種鴨居部２Ｂと左方の第２種方立部２Ｃと右方の第２種方立部２Ｄから構成され、
Ａ．第２種敷居部２Ａは、敷居の寸法に構成された第２種敷居体２Ａ１と、第２種敷居体の上面に当該第２種敷居体の長手方向をもって形成された敷居溝２Ａ２と、敷居溝の底面に当該敷居溝の長手方向をもって形成された滑り用筋２Ａ３と、第２種敷居体２Ａ１の下面に塗布された接着剤２Ａ４と、接着剤の下面に張設された剥離紙２Ａ５から構成され、
Ｂ．第２種鴨居部２Ｂは、鴨居の寸法に構成された第２種鴨居体２Ｂ１と、第２種鴨居体の下面に当該第２種鴨居体の長手方向をもって形成された鴨居溝２Ｂ２と、第２種鴨居体２Ｂ１に所定間隔をもって開設されたビス穴２Ｂ３から構成され、
Ｃ．左方の第２種方立部２Ｃは、左方の方立の寸法に構成された左方の第２種方立体２Ｃ１と、左方の第２種方立体の外周面に塗布された接着剤２Ｃ２と、接着剤の外周面に張設された剥離紙２Ｃ３から構成され、
Ｄ．右方の第２種方立部２Ｄは、右方の方立の寸法に構成された右方の第２種方立体２Ｄ１と、右方の第２種方立体の外周面に塗布された接着剤２Ｄ２と、接着剤の外周面に張設された剥離紙２Ｄ３から構成されていることを特徴とするものである。
【０００９】
【発明の実施の形態】
実施の形態について図面を参照して説明する。
１は本発明の建具取付け用開口口枠である。
２は他の実施例の建具取付け用開口口枠である。
【００１０】
建具取付け用開口口枠１について説明する。
ポリエチレン、ポリプロピレン、塩化ビニールなどを素材とした第１種敷居部１Ａと第１種鴨居部１Ｂと左方の第１種方立部１Ｃと右方の第１種方立部１Ｄから構成されている。
Ａ．第１種敷居部１Ａは、公知の敷居の寸法に構成された第１種敷居体１Ａ１と、第１種敷居体の上面に当該第１種敷居体の長手方向をもって形成された敷居溝１Ａ２と、敷居溝の底面に当該敷居溝の長手方向をもって形成された滑り用筋１Ａ３と、第１種敷居体１Ａ１の下面に塗布された接着剤１Ａ４と、接着剤の下面に張設された剥離紙１Ａ５から構成されている。
Ｂ．第１種鴨居部１Ｂは、公知の鴨居の寸法に構成された第１種鴨居体１Ｂ１と、第１種鴨居体の下面に当該第１種鴨居体の長手方向をもって形成された鴨居溝１Ｂ２と、第１種鴨居体１Ｂ１の上面に塗布された接着剤１Ｂ３と、接着剤の上面に張設された剥離紙１Ｂ４から構成されている。
Ｃ．左方の第１種方立部１Ｃは、公知の左方の方立の寸法に構成された左方の第１種方立体１Ｃ１と、左方の第１種方立体の外周面に塗布された接着剤１Ｃ２と、接着剤の外周面に張設された剥離紙１Ｃ３から構成されている。
Ｄ．右方の第１種方立部１Ｄは、公知の右方の方立の寸法に構成された右方の第１種方立体１Ｄ１と、右方の第１種方立体の外周面に塗布された接着剤１Ｄ２と、接着剤の外周面に張設された剥離紙１Ｄ３から構成されている。
以上は、鴨居部における敷居溝が２本の所謂２本引きのもので説明した。しかし、図示を省略するが、敷居溝が３本の所謂３本引きのものにも適用されることは当然である。
【００１１】
Ｅ．使用方法は下記の通りである。
第１工程
下方下地３の上面に剥離紙を取去った第１種敷居部１Ａを接着剤を利用して取付ける。
第２工程
左右の柱４の内周面に剥離紙を取去った左方の第１種方立部１Ｃと右方の第１種方立部１Ｄを接着剤を利用して取付ける。
第３工程
上方下地５の下面に剥離紙を取去った第１種鴨居部１Ｂを接着剤を利用して取付ける。
【００１２】
ついで、他の実施例の建具取付け用開口口枠２について説明する。
ポリエチレン、ポリプロピレン、塩化ビニールなどを素材とした第２種敷居部２Ａと第２種鴨居部２Ｂと左方の第２種方立部２Ｃと右方の第２種方立部２Ｄから構成されている。
Ａ．第２種敷居部２Ａは、公知の敷居の寸法に構成された第２種敷居体２Ａ１と、第２種敷居体の上面に当該第２種敷居体の長手方向をもって形成された敷居溝２Ａ２と、敷居溝の底面に当該敷居溝の長手方向をもって形成された滑り用筋２Ａ３と、第２種敷居体２Ａ１の下面に塗布された接着剤２Ａ４と、接着剤の下面に張設された剥離紙２Ａ５から構成されている。
Ｂ．第２種鴨居部２Ｂは、公知の鴨居の寸法に構成された第２種鴨居体２Ｂ１と、第２種鴨居体の下面に当該第２種鴨居体の長手方向をもって形成された鴨居溝２Ｂ２と、第２種鴨居体２Ｂ１に所定間隔をもって開設されたビス穴２Ｂ３から構成されている。
Ｃ．左方の第２種方立部２Ｃは、公知の左方の方立の寸法に構成された左方の第２種方立体２Ｃ１と、左方の第２種方立体の外周面に塗布された接着剤２Ｃ２と、接着剤の外周面に張設された剥離紙２Ｃ３から構成されている。
Ｄ．右方の第２種方立部２Ｄは、公知の右方の方立の寸法に構成された右方の第２種方立体２Ｄ１と、右方の第２種方立体の外周面に塗布された接着剤２Ｄ２と、接着剤の外周面に張設された剥離紙２Ｄ３から構成されている。
以上は、鴨居部における敷居溝が２本の所謂２本引きのもので説明した。しかし、図示を省略するが、敷居溝が３本の所謂３本引きのものにも適用されることは当然である。
【００１３】
Ｅ．使用方法は下記の通りである。
第１工程
下方下地３の上面に剥離紙を取去った第２種敷居部２Ａを接着剤を利用して取付ける。
第２工程
左右の柱４の内周面に剥離紙を取去った左方の第２種方立部２Ｃと右方の第２種方立部２Ｄを接着剤を利用して取付ける。
第３工程
上方下地５の下面に剥離紙を取去った第２種鴨居部２Ｂをビス穴２Ｂ３を利用してビス２Ｂ４で取付ける。
【００１４】
【発明の効果】
本発明は、上述の通り構成されているので次に記載する効果を奏する。
１．取付け作業に際して大工の造作が必要ない。
２．敷居溝には滑り用筋が形成されているから、従来の滑りテープの如く摩耗したり、剥れるなどの問題を回避できる。
３．このほか、安価に製造できる、部品点数が少ないので組立が容易である、経済的である、などの効果をも有するものである。
【図面の簡単な説明】
【図１】本発明の分解斜視図である。
【図２】Ａ−Ａ線拡大断面図である。
【図３】Ｂ−Ｂ線拡大断面図である。
【図４】使用状態の正面図である。
【図５】Ｃ−Ｃ線拡大断面図である。
【図６】Ｄ−Ｄ線拡大断面図である。
【図７】他の実施例の分解斜視図である。
【図８】Ｅ−Ｅ線拡大断面図である。
【図９】Ｆ−Ｆ線拡大断面図である。
【図１０】他の実施例の使用状態の正面図である。
【図１１】Ｇ−Ｇ線拡大断面図である。
【図１２】Ｈ−Ｈ線拡大断面図である。
【符号の説明】
１  本発明の建具取付け用開口口枠
１Ａ  第１種敷居部
１Ｂ  第１種鴨居部
１Ｃ  左方の第１種方立部
１Ｄ  右方の第１種方立部
２  他の実施例の建具取付け用開口口枠
２Ａ  第２種敷居部
２Ｂ  第２種鴨居部
２Ｃ  左方の第２種方立部
２Ｄ  右方の第２種方立部
【図１】
2004339826.tif 000003
【図２】
2004339826.tif 000004
【図３】
2004339826.tif 000005
【図４】
2004339826.tif 000006
【図５】
2004339826.tif 000007
【図６】
2004339826.tif 000008
【図７】
2004339826.tif 000009
【図８】
2004339826.tif 000010
【図９】
2004339826.tif 000011
【図１０】
2004339826.tif 000012
【図１１】
2004339826.tif 000013
【図１２】
2004339826.tif 000014